(57)【特許請求の範囲】
【請求項１】
遠距離通信装置（３）が組み込まれた分散電子機器（１）の遠隔診断及び集中故障評価のための方法において、
ａ）前記分散電子機器（１）の誤動作に関する情報を故障データとして前記分散電子機器（１）の診断メモリ（６）に保存するステップと、
ｂ）前記診断メモリ（６）又は診断カード（９）に格納された１つ又は複数の診断プログラムを実行するステップと、ただしその際、前記１つ又は複数の診断プログラムは前記診断メモリに格納された伝送及び評価すべき故障データの選択を行い、
ｃ）前記電子機器（１）のユーザによる制御により、前記電子機器（１）と中央故障評価局（７）との間の遠距離通信接続を行うステップと、
ｄ）実行された診断プログラムにより選択された故障データのみを前記診断メモリ（６）から前記中央故障評価局（７）へ伝送するステップと、
ｅ）前記中央故障評価局（７）において故障データを評価するステップと、
ｆ）前記電子機器（１）により前記中央故障評価局（７）から診断結果を受信するステップとを有する、
ことを特徴とする分散電子機器（１）の遠隔診断及び集中故障評価のための方法。
【請求項２】
前記診断結果を前記分散電子機器（１）において表示する、請求項１記載の方法。
【請求項３】
前記分散電子機器（１）を診断プログラムにより前記診断結果に依存して整備する、請求項１又は２に記載の方法。
【発明の詳細な説明】
【０００１】
本発明は、遠距離通信装置が組み込まれた分散電子機器の遠隔診断及び集中故障評価のための方法に関する。本発明はさらに、遠距離通信装置が組み込まれた分散電子機器に関する。
【０００２】
遠距離通信装置が組み込まれた分散電子機器としては、例えばいわゆる無線電話が公知である。この無線電話は、カーラジオとＧＳＭ電話の組合せを１つのハウジング内に収めたものである。さらに、自動車内で使用されるナビゲーションシステムと移動電話の組合せとして、ネットワーク化されたドライバ情報システムが公知である。
【０００３】
この種のシステムは非常に複雑であり、複数の相互作用する機能性を有している。このような組合せ電子機器を発展させ動作させる際の問題点は、このような電子機器は、複雑さのため完全には実験室内で試験することができず、実地使用の際に新たな技術的問題が生じ得ることにある。
【０００４】
従来、生じた故障は、クレーム及びクレームを受けた機器の回収によってしか製造元に知られることがなく、製造元において制限付きでしか統計的に評価することができなかった。それゆえ、故障評価の統計的基盤は比較的狭く、その結果である措置も限定されている。そのうえ、故障の修復のため及び出回っているすべての電子機器の相応の改訂のための反応時間があまりに長い。
【０００５】
それゆえ本発明の課題は、遠距離通信装置が組み込まれた分散電子機器の遠隔診断及び集中故障評価のための方法を改善すること、ならびに、遠距離通信装置が組み込まれた分散電子機器を相応して改善することである。
【０００６】
上記課題は請求項１による下記のステップを有する方法により解決される：
ａ）分散電子機器の誤動作に関する情報を前記電子機器の診断メモリに保存するステップ；
ｂ）前記電子機器のユーザによる制御により、前記電子機器と中央故障評価局との間の遠距離通信接続を行うステップ；
ｃ）故障データを前記診断メモリから前記中央故障評価局へ伝送するステップ；
ｄ）前記中央故障評価局において故障データを評価するステップ。
【０００７】
本発明によれば、電子機器の診断メモリに格納された情報は、組み込まれた遠距離装置により中央故障評価局へ伝送され、そこで評価される。これの利点は、自由に実地使用されている各電子機器に対して遠隔診断を実施することができ、電子機器のユーザから中央故障評価局への情報経路を標準化し、著しく短縮することができるということである。故障に関する情報は、例えば、故障評価局に接続された開発ユニットにより迅速に分析され、故障が修理される。
【０００８】
故障情報の統計的評価により、故障の頻発を早期に識別することができる。加えて、製品試験及び修理にかかるコストを低減することもできる。
【０００９】
有利には、上記方法では、診断メモリ内に格納された１つ又は複数の診断プログラムが実行され、実行される診断プログラムにより相応して選択された故障データだけが診断メモリに伝送される。診断プログラムの使用により、診断過程が標準化され、ユーザにとって容易に使用可能なものとなる。
【００１０】
有利には、診断結果が中央故障評価局から電子機器に戻される。このようにして、修理のコストを低減し、診断要求に即座に反応するようにすることができる。このことが製品品質の向上をもたらし、顧客満足度を高める。
【００１１】
診断結果は公知のやり方で電子機器において表示することができる。さらに、電子機器の整備は、診断プログラムにより診断結果に依存して実行することができる。
【００１２】
本発明によれば、遠距離通信装置が組み込まれた分散電子機器は、電子機器の誤動作に関する情報を格納するための診断メモリを有している。上記方法を実行するために、電子機器のユーザによる制御により、中央故障評価局との遠距離通信接続が行われ、評価のために故障データが診断メモリから中央故障評価局へ伝送される構成となっている。ユーザが遠距離通信接続を制御することにより、ユーザは遠隔診断を統御することができるので、ユーザの意志に反した電子機器へのアクセスは不可能である。
【００１３】
以下では、添付した図面を用いて実施例に基づいて本発明をより詳細に説明する。
【００１４】
図１は、いわゆる無線電話、すなわち１つのハウジング内に収められた移動無線通信部内蔵のカーラジオの形態での電子機器に関する実施例のブロック図を示している。
【００１５】
電子機器１は、例えばＡＭ／ＦＭチューナ２、移動無線通信部の形態での遠距離通信装置３、制御部４のような種々のシステムコンポーネント、及び場合によっては別のシステムコンポーネント５を有している。本発明によれば、診断メモリ６は、誤動作の際に、相応の情報を故障データとして診断メモリにファイルする目的で組み込まれている。
【００１６】
電子機器１は、ユーザ制御により移動無線通信部３を介して中央故障評価局７との遠距離通信接続が行われ、故障データが診断メモリ６から中央故障評価局７へ伝送されるように構成されている。故障データはつづいて中央故障評価局７において評価され、必要とあれば、診断結果が電子機器に伝送される。診断結果は電子機器１において表示され、且つ／又は、電子機器１の整備に使用される。
【００１７】
接続の実行と診断メモリからの故障データの伝送は、有利には、ユーザによる変更不可の予め決定された１つ又は複数の呼出番号に対してのみ実行される。このようにして、遠隔診断のための方法は、簡単かつ確実に適用可能であり、比較的簡単に操作できる。
【００１８】
図示された実施例では、さらに、診断カード９に格納されている特別の診断プログラムを実行するために、カード読み取り機８が設けられている。診断カード９はシステムの保安のために使用される。中央故障評価局７との遠距離通信接続を行う機能、ならびにカードに格納された種々の診断プログラムを実行する機能は、診断カード９がカード読み取り機８に挿入されてはじめて活動化される。装備されている診断プログラムは、診断メモリ６の領域選択、すなわち伝送及び評価すべき故障情報の選択を可能にする診断プログラムである。加えて、診断結果の格納と表示は挿入された診断カード９によってのみ可能である。同様に、電子機器及び診断カード９に格納された診断プログラムの整備は、診断結果に依存し診断カード９との関連においてのみ行われる。
【００１９】
有利には、診断カード９は匿名化されており、そのためユーザＩＤは、とりわけ故障データを中央故障評価局７に伝送する際に一緒に伝送されることはない。これにより、統計的な故障評価のために中央故障評価局７に故障データを格納することによって、個人データが一緒に掌握されることがないことも保証される。
【図面の簡単な説明】
【図１】  いわゆる無線電話の形態の電子機器に関する実施例のブロック図を示す。
【図１】
0004723166.tif 000002